(57)【特許請求の範囲】
【請求項１】
用紙搬送手段と、前記搬送手段の端部に配置され搬送されてくる用紙を位置決めするストッパと、前記ストッパにより位置決めされた用紙の折り曲げ位置を突き出すナイフと、前記ナイフにより突き出された用紙を挟圧する一対のローラとを備えてなる用紙のナイフ折り装置において、前記ストッパの配置位置と前記ナイフの配置位置間に前記ナイフと連動し前記用紙搬送手段により搬送される用紙を前記用紙搬送手段に押圧および押圧解除するローラを設けてなることを特徴とする用紙のナイフ折り装置。
【請求項２】
用紙搬送手段と、前記搬送手段の端部に配置され搬送されてくる用紙を位置決めするストッパと、前記ストッパにより位置決めされた用紙の折り曲げ位置を突き出すナイフと、前記ナイフにより突き出された用紙を挟圧する一対の第１のローラと、前記ナイフに連結され前記ナイフにより突き出された用紙を前記第１のローラに押圧する第２のローラとを備えてなる用紙のナイフ折り装置において、前記第２のローラに係合し前記第２のローラによる前記第１のローラへの用紙の押圧を阻止する移動可能のストッパを設けてなることを特徴とする用紙のナイフ折り装置。
【請求項３】
用紙搬送手段と、前記搬送手段の端部に配置され搬送されてくる用紙を位置決めするストッパと、前記ストッパにより位置決めされた用紙の折り曲げ位置を突き出すナイフと、前記ナイフにより突き出された用紙を挟圧する一対の第１のローラと、前記ナイフに連結され前記ナイフにより突き出された用紙を前記第１のローラに押圧する第２のローラとを備えてなる用紙のナイフ折り装置において、前記ストッパの配置位置と前記ナイフの配置位置間に前記ナイフと連動し前記用紙搬送手段により搬送される用紙を前記用紙搬送手段に押圧および押圧解除するローラと、前記第２のローラに係合し前記第２のローラによる前記第１のローラへの用紙の押圧を阻止する移動可能のストッパとを設けてなることを特徴とする用紙のナイフ折り装置。
【発明の詳細な説明】
【０００１】
【発明の属する技術分野】
本発明は、用紙のナイフ折り装置に関するものである。
【０００２】
【従来の技術】
１枚あるいは複数枚の用紙を２つに折り、その折った中へ１／２のサイズの用紙を挿入する場合、人手により用紙を２つ折りした後、１／２のサイズの用紙を入れる作業を行うと時間がかかるので、この入紙作業を機械で行うことを可能にしたナイフ折り装置がある。
【０００３】
図８および図９は、このようなナイフ折り装置の一例を示すもので、１は用紙を所定の位置に搬送するベルトからなる用紙搬送手段、２は用紙の折り曲げ位置を突き出すナイフ、３ａおよび３ｂはナイフ２の先端により突き出された用紙を挟圧する一対のローラで、これらは周知のナイフ折り装置と同様に構成されている。入紙作業を可能にするために、ナイフ２にガイド部材４を取り付け、このガイド部材４に、先端にローラ５を支持する支持板７が摺動可能に嵌め込まれている。そして支持板７はガイド部材４に植立されたピン４ａとバネ６で連結された構成を備えている。
【０００４】
このナイフ折り装置で１／２のサイズの用紙を２つ折り用紙の間に挿入する場合、折り重ねる用紙８と一緒に用紙８の最下部に１／２のサイズの用紙９を配置して用紙搬送手段１により搬送し、図示しないストッパにより両用紙の一端を揃えた状態で用紙８の中央位置をナイフ２の先端位置に位置決めして置く（図８はこの状態を示している）。このとき用紙９は用紙８の１／２のサイズであり、ナイフ２の先端位置から外れている。
【０００５】
用紙８および用紙９が位置決めされると、図９に示すように、ナイフ２は駆動され用紙８の中央部を突き上げ、一対のローラ３ａおよび３ｂ間に押し込み、一対のローラ３ａおよび３ｂ間に押し込まれた用紙８はローラ３ａおよび３ｂの回転により、折り重ねて排出される。
【０００６】
ナイフ２が駆動されるとナイフ２に連結されたローラ５が共に駆動され、用紙８および用紙９をローラ３ａにバネ６で押圧する。この押圧により用紙９は用紙８とともに一対のローラ３ａおよび３ｂ間に押し込まれ、用紙８の折り重ねた間に挿入される。
【０００７】
【発明が解決しようとする課題】
このように構成されたナイフ折り装置は、入紙作業が機械で行うことができ人手による入紙作業に比し合理的であるが、１／２のサイズの用紙９の位置決めが確実でなく、該用紙９も折り曲げてしまうと云う問題があり、また２つ折りの際、常に用紙をローラ５で押圧するため、ナイフ２の両側で用紙に作用する張力の不均衡が生じて用紙の折り位置をずらす場合があり、通常の２つ折りの精度を低めるという問題がある。
【０００８】
本発明はこのような問題に鑑みてなされたものであり、２つ折りする用紙の間に挿入する用紙の位置決め精度を高め、また、通常の２つ折りの精度の低下を簡単に抑制することのできる用紙のナイフ折り装置を提供することを目的とする。
【０００９】
【課題を解決するための手段】
請求項１に係る本発明は、用紙搬送手段と、前記搬送手段の端部に配置され搬送されてくる用紙を位置決めするストッパと、前記ストッパにより位置決めされた用紙の折り曲げ位置を突き出すナイフと、前記ナイフにより突き出された用紙を挟圧する一対のローラとを備えてなる用紙のナイフ折り装置において、前記ストッパの配置位置と前記ナイフの配置位置間に前記ナイフと連動し前記用紙搬送手段により搬送される用紙を前記用紙搬送手段に押圧および押圧解除するローラを設けてなることを特徴とする。
【００１０】
この発明では、用紙の位置決め時はストッパの配置位置とナイフの配置位置間に設けたローラにより、位置決めのために搬送される用紙を用紙搬送手段に軽い加圧力を加え、また、用紙折り時にはこのローラの加圧力を解除するので、用紙折りを妨げることなく、用紙を確実にストッパに当接させて正確に用紙の位置決めをおこなうことができる。
【００１１】
また、請求項２に係る本発明は、用紙搬送手段と、前記搬送手段の端部に配置され搬送されてくる用紙を位置決めするストッパと、前記ストッパにより位置決めされた用紙の折り曲げ位置を突き出すナイフと、前記ナイフにより突き出された用紙を挟圧する一対の第１のローラと、前記ナイフに連結され前記ナイフにより突き出された用紙を前記第１のローラに押圧する第２のローラとを備えてなる用紙のナイフ折り装置において、前記第２のローラに係合し前記第２のローラによる前記第１のローラへの用紙の押圧を阻止する移動可能のストッパを設けてなることを特徴とする。
【００１２】
この発明では、１／２のサイズの用紙を用紙折り間に挿入しないときには、移動可能のストッパを第２のローラに係合させて第２のローラによる第１のローラへの用紙の押圧を阻止し、１／２のサイズの用紙を用紙折り間に挿入するときには、移動可能のストッパを移動させて第２のローラの係合を外し、第２のローラにより用紙を第１のローラへ押圧することができるので、通常の用紙折り作業と入紙作業の両者を簡単に最適な状態で行うことができる。
【００１３】
さらに、請求項３に係る本発明は、用紙搬送手段と、前記搬送手段の端部に配置され搬送されてくる用紙を位置決めするストッパと、前記ストッパにより位置決めされた用紙の折り曲げ位置を突き出すナイフと、前記ナイフにより突き出された用紙を挟圧する一対の第１のローラと、前記ナイフに連結され前記ナイフにより突き出された用紙を前記第１のローラに押圧する第２のローラとを備えてなる用紙のナイフ折り装置において、前記ストッパの配置位置と前記ナイフの配置位置間に前記ナイフと連動し前記用紙搬送手段により搬送される用紙を前記用紙搬送手段に押圧および押圧解除するローラと、前記第２のローラに係合し前記第２のローラによる前記第１のローラへの用紙の押圧を阻止する移動可能のストッパとを設けてなることを特徴とする。
【００１４】
この発明では、請求項１および請求項１に係る本発明の両者の作用効果を享受し、１／２のサイズの用紙を用紙折り間に挿入するときには、その用紙の位置決めを確実に行うとともに、通常の２つ折りの精度の低下を簡単に抑制することのできる。
【００１５】
【発明の実施の形態】
以下、本発明の実施の形態について図を参照して説明する。図１は本発明の一実施の形態の用紙のナイフ折り装置の全体構成を示す側面図、図２は図１の用紙の位置決め部を示す斜視図、図３は図１のナイフ部を示す斜視図、図４および図５は入紙の場合の折り動作を説明する折り部の側面図で図４は用紙が位置決めされた状態を示し、図５は用紙の折り状態を示している。図６は通常の折り動作を説明する折り部の側面図で用紙の折り状態を示している。
【００１６】
図１において、１１ａ（１１ｂ）および１１ｃ（１１ｄ）は用紙を搬送する搬送ベルト、１２は用紙を位置決めするストッパ、１３はローラ、１４はローラ１３を駆動するソレノイド、１４ａはローラ１３を操作する操作レバー、１５は用紙の折り曲げ位置を突き出すナイフ、１６はナイフ１５を駆動する駆動軸、１７は駆動モータ、１８は回転板、１９は回転板の１８の偏心位置に取り付けられたローラ、２０はローラ１９と係合する駆動軸１６に固定された係合部材、２０ａおよび２０ｂはナイフ１５の先端により突き出された用紙を挟圧する一対のローラである。
【００１７】
また、２１はナイフ１５に固定されたガイド部材、２１ａはガイド部材１４に植立されたピン、２２はローラ、２３はローラ２２を支持する支持板、２４はバネ、２５はストッパ、２６はストッパ２５を駆動するソレノイド、２６ａはストッパ２５を操作する操作レバー、２８はバネ、２９はストッパ２５の保持部材である。なお３０は搬入される用紙を搬送ベルトに押圧する押圧ローラ、Ｐは搬送ベルトを掛け渡し、搬送ベルトを周回移動させるプーリである。
【００１８】
２つ折りに折り加工される用紙は、搬送ベルト１１ａ（１１ｂ）の端部（図１の右側端部）から周回移動する搬送ベルト１１ａ（１１ｂ）に載せられ、その先端はナイフ１５と一対のローラ２０ａおよび２０ｂからなる折り部を通過し、周回移動する搬送ベルト１１ｃ（１１ｄ）に載せられ、予め用紙のサイズなどに応じて位置決めされたストッパ１２に当接して停止する。このとき、用紙の折り曲げ位置（通常は用紙の中央部）はナイフ１５の先端および一対のローラ２０ａおよび２０ｂ間と対向する位置に位置決めされる。なお用紙の後端は押圧ローラ３０から外れた位置にある。
【００１９】
この折り加工される用紙の位置決め部の詳細を図２に示す。用紙の搬送手段を形成する搬送ベルトは、一対のローラ２０ａおよび２０ｂ間を境界にして用紙の搬入側に配置された搬送ベルト１１ａとこのベルト１１ａと適宜の間隔を隔てて平行に搬送ベルト１１ｂが配置され、同様にストッパ１２側に配置された搬送ベルト１１ｃとこのベルト１１ｃと適宜の間隔を隔てて平行に搬送ベルト１１ｄが配置され、搬送ベルト１１ａの延長線上に搬送ベルト１１ｃ、搬送ベルト１１ｂの延長線上に搬送ベルト１１ｄが位置している。各ベルトは図示しないモータによりプーリＰを介して周回移動するようにされている。
【００２０】
ストッパ１２は搬送ベルト１１ｃと搬送ベルト１１ｄをまたぎ、各ベルトの後端部に配置され、搬送ベルト１１ｃおよび搬送ベルト１１ｄに沿って図示しない機構によりその位置が調節できるようにされている。搬送ベルト１１ｃと搬送ベルト１１ｄの一対のローラ２０ａおよび２０ｂのローラ２０ａの近くに各ベルト面に対向するローラ１３が配置され、このローラ１３は通常は各ベルト面を軽く押圧し、ソレノイド１４が附勢されたとき操作レバー１４ａを介して各ベルト面から離間するようにされている。
【００２１】
ソレノイド１４はナイフ１５の移動と連動するようにされており、ナイフ１５が待機状態にあるときは附勢されず、ローラ１３は各ベルト面を軽く押圧した状態にあり、搬送されてくる用紙を、各ベルト面とローラ１３間に通してその用紙を各ベルトに軽く押圧して、用紙の先端を確実にストッパ１２の位置に搬送する。折り時、ナイフ１５は移動駆動されこの移動と連動してソレノイド１４が附勢され、ローラ１３は各ベルト面から離間し、用紙の押圧を解除し折り動作における用紙の移動を自由にする。なお、ソレノイド１４が附勢されないときローラ１３は各ベルト面を押圧するようにしても良い。
【００２２】
折り加工される用紙が搬送手段およびストッパ１２により位置決めされると、ナイフ１５が一対のローラ２０ａおよび２０ｂ間方向へ駆動され、その先端が用紙の折り曲げ位置に当接して用紙を突出し、一対のローラ２０ａおよび２０ｂ間に挿入する。一対のローラ２０ａおよび２０ｂ間を通過した用紙は折り重ねられている。
【００２３】
この折り曲げを行うナイフ部の詳細を図３に示す。ナイフ１５は一対のローラ２０ａおよび２０ｂ間に対向する位置に配置され、駆動軸１６の先端に固定されている。駆動軸１６の後端に断面コ字状の係合部材２０が固定され、コ字状の凹部にローラ１９が嵌められている。ローラ１９はモータ１７により回転する回転板１８の偏心位置に取り付けられ、モータ１７の回転により上下左右に移動し、上下移動を係合部材２０で駆動軸１６の上下駆動に変換する。
【００２４】
ナイフ１５のストッパ１２側の側面に断面コ字状のガイド部材２１が固定され（図では３個所）、コ字状の相対向する片の内側にガイド溝が形成されている。このガイド溝に両側縁のそれぞれを嵌合させて、摺動自在にＬ字状の支持板２３が装着され、この支持板２３の先端にローラ２２が取り付けられている。ガイド部材２１のコ字状の底面にピン２１ａが植立され、ピン２１ａは支持板２３の長孔２３ａを貫通してその先端部は支持板２３から突出し、その先端部にバネ２４の一端が固定され、バネ２４の他端は支持板２３のＬ字状の底部の突出片２３ｂに固定されている。
【００２５】
ナイフ１５が上下移動すると、その移動と共にローラ２２が移動し、ナイフ１５の先端で用紙を突出したとき、ナイフ１５の先端近傍に位置する用紙をローラ２０ａにバネ２４のバネ力で押圧する。
【００２６】
ナイフ１５のガイド部材２１が固定されている側にナイフ１５と平行する保持部材２９（図では一部切り欠いて示されている。）が配置され、保持部材２９にこれを貫通させて、棒状のストッパ２５が各支持板２３に対向する位置で保持されている。ストッパ２５の一端と保持部材２９との間にバネ２８が設けられ、ストッパ２５は支持板２３から離間する方向に附勢されている。ストッパ２５の端面に、ソレノイド２６に連結された操作レバー２６ａが当接されている。
【００２７】
ソレノイド２６が附勢されると操作レバー２６ａが作動し、バネ２８のバネ力に抗してストッパ２５を支持板２３に向けて押し出す。このときストッパ２５の先端部は支持板２３のＬ字状の底部の突出片２３ｂに当接する位置に突き出され、ナイフ１５の上方移動とともに移動するローラ２２の移動を阻止する。この阻止により、ナイフ１５の先端で用紙を突出したとき、ナイフ１５の先端近傍に位置する用紙をローラ２０ａに押圧することが阻止される。なお、ソレノイド２６を附勢したとき、ストッパ２５を引っ込めるようにしても良い。
【００２８】
ソレノイド２６の附勢は、選択できるようにされており、１／２の用紙を挿入しない通常の折り動作を行うときには附勢して、折り時のナイフ１５の先端近傍に位置する用紙をローラ２０ａに押圧することを阻止し、用紙に作用する張力の不均衡を無くす。図６はこの場合の折り部を示しており、ローラ１３は各ベルト面から離間して折り加工される用紙３２の押圧を解除し折り動作における用紙の移動を自由にしているとともに、ストッパ２５は突出されて支持板２３のＬ字状の底部の突出片２３ｂと係合し、ローラ２２は用紙３２をローラ２０ａに押圧する手前で停止し、ローラ２２による用紙３２のローラ２０ａへ押圧が阻止されている。
【００２９】
以上のように構成された用紙のナイフ折り装置で１／２の用紙を挿入する場合、ストッパ２５は終始引っ込めた状態にして置く、折り加工する用紙３２と一緒に用紙３２の最下部に１／２のサイズの用紙３３を配置して搬送ベルト１１ａ（１１ｂ）に搬入し、用紙３２および３３は搬送ベルト１１ａ（１１ｂ）から搬送ベルト１１ｃ（１１ｄ）と移動し、ローラ１３により押圧されながら各用紙の先端はストッパ１２に当接して位置決めされる。この状態を図４に示されている。用紙３３の後端はナイフ１５の先端から外れて位置している。
【００３０】
その後、図５に示すように、ナイフ１５は駆動され、ローラ１３による押圧を解除した状態でナイフ１５は用紙３２の中央部を突き上げ、一対のローラ２０ａおよび２０ｂ間に押し込み、一対のローラ２０ａおよび２０ｂ間に押し込まれた用紙３２はローラ２０ａおよび２０ｂの回転により、折り重ねて排出される。ナイフ１５が駆動されるとローラ２２が共に駆動され、用紙３２および用紙３３をローラ２０ａにバネ２４で押圧する。この押圧により用紙３３は用紙３２とともに一対のローラ２０ａおよび２０ｂ間に押し込まれ、用紙３２の折り重ねた間に挿入される。
【００３１】
以上の実施の形態では、ローラ２２およびストッパ２５を設けられたものに、ローラ１３を用いているが、ローラ１３は単独で用いることも可能であり、この場合、複数枚重ねた用紙の通常の折り動作であっても各用紙の位置決めが正確に得られ、図７に示すように、１／２の用紙３３を挿入する場合にも、用紙３３は位置決めが正確に得られる。この場合、用紙３３の一対のローラ２０ａ、２０ｂ間への移動は適宜の手段、例えばストッパ２５のない従来と同様、あるいはエアの吹き付けなどを利用すれば足りる。
【００３２】
【発明の効果】
以上のように、本発明によれば、用紙の位置決め時はストッパの配置位置とナイフの配置位置間に設けたローラにより、用紙を確実にストッパに当接させて正確に用紙の位置決めをおこなうことができる。また、折り時に用紙を押圧するナイフに取り付けたローラをストッパの操作により押圧を阻止することができるので、１／２のサイズの用紙を用紙折り間に挿入する作業と、通常の折り作業の両方に最適な状態の折り作業を、部品の取替えや、取外しをしないで簡単に行うことができる。
【図面の簡単な説明】
【図１】本発明の一実施の形態の用紙のナイフ折り装置の全体構成を示す側面図である。
【図２】図１の用紙の位置決め部を示す斜視図である。
【図３】図１のナイフ部を示す斜視図である。
【図４】図１の入紙の場合の用紙が位置決めされた状態の折り部の側面図である。
【図５】図１の入紙の場合の用紙の折り状態の折り部の側面図である。
【図６】図１の通常の用紙の折り状態の折り部の側面図である。
【図７】本発明の他の実施の形態の入紙の場合の用紙の搬送状態の折り部の側面図である。
【図８】従来の用紙のナイフ折り装置の構成を示す入紙の場合の用紙が位置決めされた状態の折り部の側面図である。
【図９】図８に示す用紙のナイフ折り装置の用紙の折り状態の折り部の側面図である。
【符号の説明】
１１ａ〜１１ｄ  搬送ベルト（搬送手段）
１２    ストッパ
１３    ローラ
１４    ソレノイド
１４ａ  操作レバー
１５    ナイフ
１６    駆動軸
１７    モータ
１８    回転板
１９    ローラ
２０    係合部材
２０ａ、２０ｂ  一対のローラ
２１    ガイド部材
２１ａ  ピン
２２    ローラ
２３    支持板
２４    バネ
２５    ストッパ
２６    ソレノイド
２６ａ  操作レバー
２８    バネ
２９    保持部材
３２    用紙
３３    入紙用用紙
【図１】
0003776219.tif 000002
【図２】
0003776219.tif 000003
【図３】
0003776219.tif 000004
【図４】
0003776219.tif 000005
【図５】
0003776219.tif 000006
【図６】
0003776219.tif 000007
【図７】
0003776219.tif 000008
【図８】
0003776219.tif 000009
【図９】
0003776219.tif 000010